(57)【要約】【課題】材料の使用面積を削減してコストダウンを図るとともに、簡単に組立および装着を可能とする。【解決手段】断面矩形状をなす外箱１０の内部に収容した２以上の商品間に配置する仕切材２０において、隣接する商品（ボトル１）間に略水平に延びる基面２１と、基面２１において、外箱１０の側壁１１Ａ〜１１Ｄと対向する端縁から傾斜して延び、側壁１１Ａ〜１１Ｄに当接する傾斜面２２と、基面２１において、商品と対向する側縁から屈曲して延びる区画面２４Ａ，２４Ｂとを一体に備えた構成とする。【選択図】図１
2006082846.tif 000002
【特許請求の範囲】
【請求項１】
断面矩形状をなす外箱の内部に収容した２以上の商品間に配置する仕切材において、
隣接する商品間に略水平に延びる基面と、
前記基面において、前記外箱の側壁と対向する端縁から傾斜して延び、前記側壁に当接する傾斜面と、
前記基面において、前記商品と対向する側縁から屈曲して延びる区画面と
を一体に備えたことを特徴とする仕切材。
【請求項２】
前記傾斜面および区画面は、前記外箱内に商品としてボトルを収容した状態で上方から配置することにより、前記ボトルの上部において上向きに屈曲するように配置されることを特徴とする請求項１に記載の仕切材。
【発明の詳細な説明】
【技術分野】
【０００１】
本発明は、外箱内に収容した隣接する商品間を仕切る仕切材に関するものである。
【背景技術】
【０００２】
本発明の仕切材に関連する先行技術文献情報としては次のものがある。
【０００３】
【特許文献１】登録実用新案第２５４３１１２号公報
【特許文献２】特開２００２−２６８０号公報
【０００４】
特許文献１では、ボトル類を収容する包装箱において、広い空間が形成されるボトルの首部に配置するための仕切材が記載されている。この仕切材は、断面矩形状をなす外箱において、ボトルが隣接する方向である対向する端壁間にかけて首部の両側に位置するように延びる一対の縦面板と、他の対向する側壁間にかけて首部の両側に位置するように延びる各一対の横面板とを備え、これらを格子状に組み付けることにより形成されるものである。
【０００５】
特許文献２では、ギフト商品を収容する包装箱において、商品の外周を囲繞するように配置するための仕切材が記載されている。この仕切材は、外箱の内法に対応する基面を備え、該基面内に商品を収容するための開口部が設けられている。この開口部の内縁には、下（内）向きに折り込むようにして商品の外周面に当接保持する商品用保持片が連設されている。また、前記基面の外周縁には、下（内）向きに折り込むようにして外箱の内周面に当接保持する外箱用保持片が連設されている。
【０００６】
しかしながら、特許文献１の仕切材は部品点数が多く、組立および装着作業性が悪いという問題がある。また、特許文献１，２のいずれでも仕切材を形成するために必要な材料（紙）の面積が多く必要であり、コスト高になるという問題がある。
【発明の開示】
【発明が解決しようとする課題】
【０００７】
本発明では、材料の使用面積を削減してコストダウンを図るとともに、簡単に組立および装着が可能な仕切材を提供することを課題とするものである。
【課題を解決するための手段】
【０００８】
前記課題を解決するため、本発明の仕切材では、断面矩形状をなす外箱の内部に収容した２以上の商品間に配置する仕切材において、隣接する商品間に略水平に延びる基面と、前記基面において、前記外箱の側壁と対向する端縁から傾斜して延び、前記側壁に当接する傾斜面と、前記基面において、前記商品と対向する側縁から屈曲して延びる区画面とを一体に備えた構成としている。
【０００９】
この仕切材によれば、商品の外周を囲繞するのではなく、商品間に位置するように基面を形成しているため、材料の使用面積を削減し、コストダウンを図ることができる。また、一体形成した１枚のブランクからなるため、その組立および装着作業性の向上を図ることができる。
【００１０】
この仕切材では、前記傾斜面および区画面は、前記外箱内に商品としてボトルを収容した状態で上方から配置することにより、前記ボトルの上部において上向きに屈曲するように配置することが好ましい。このようにすれば、組立および装着作業性を更に向上できる。しかも、例えば前記ボトルがキャンペーン商品であり、上方の首部に景品を掛けた状態で収容させる場合、前記区画面により掛けた景品同士が干渉して破損するなどの問題が生じることを防止できる。また、広い空間が形成される外箱の上部の剛性を高めることができる。
【発明の効果】
【００１１】
本発明の仕切材は、材料の使用面積を削減し、コストダウンを図ることができるうえ、１枚のブランクからなるため、その組立および装着作業性の向上を図ることができる。
【発明を実施するための最良の形態】
【００１２】
以下、本発明の実施の形態を図面に従って説明する。
【００１３】
図１から図４は、本発明の実施形態に係る仕切材２０を適用した包装箱を示す。この包装箱は、２行２列の配置で樹脂製のボトル１を収容する断面矩形状の外箱１０と、該外箱１０の上部に配置する仕切材２０とからなる。
【００１４】
これら外箱１０および仕切材２０は、周知の紙器打抜装置（図示せず）によって段ボール紙をそれぞれ一枚のブランクとして打ち抜いて成形される。なお、前記段ボール紙は、一対の表紙と裏紙との間に波状の中しんを配設したものである。
【００１５】
具体的には、外箱１０は、図１および図２に示すように、横方向に連続した４面の側壁１１Ａ〜１１Ｄを備え、その一端の側壁１１Ａには、他端の側壁１１Ｄに貼着するための糊代部（図示せず）を連設したものである。これら側壁１１Ａ〜１１Ｄには、その上端縁に上蓋を構成する上フラップ１２Ａ〜１２Ｄが連設されるとともに、下端縁に下蓋を構成する下フラップ１３Ａ〜１３Ｄが連設されている。また、対向する側壁１１Ａ，１１Ｃの中央上部には、長楕円形状をなす把持孔１４が形成されている。具体的には、この把持孔１４は、内部に収容するボトル１の首部に位置するように設けられている。
【００１６】
前記仕切材２０は、図３および図４に示すように、ボトル１の上部である首部に位置するように配置されるもので、基面２１と、傾斜面２２と、区画面２４Ａ，２４Ｂとを一体に備えたものである。
【００１７】
前記基面２１は、隣接する商品間において水平に延びるように、＋字形状に形成されている。この基面２１において、外箱１０の各側壁１１Ａ〜１１Ｄと対向する端縁は、これら側壁１１Ａ〜１１Ｄとの間に所定の隙間が形成されるように小さく形成されている。本実施形態では、前記外箱１０に対する配置方向が規定されるものである。そして、以下では、前記把持孔１４を形成した側壁１１Ａ，１１Ｃ間にかけて配置する部分を横配置部２１ａ、他の側壁１１Ｂ，１１Ｄにかけて配置する部分を縦配置部２１ｂと称する。そして、仕切材２０を外箱１０内に配置した状態では、各配置部２１ａ，２１ｂの一方側縁と、外箱１０の側壁１１Ａ〜１１Ｄの内面で囲繞された４つの区画領域が形成される。
【００１８】
前記傾斜面２２は、前記基面２１の四方に突出した端縁から上向きに傾斜して延び、その先端が対応する側壁１１Ａ〜１１Ｄおよび上フラップ１２Ａ〜１２Ｄに当接するように配置、即ち、これらの稜部に位置するように配置されるもので、その境界部分には肉厚を圧縮するように罫を入れて形成した折曲線２３が設けられている。
【００１９】
前記区画面２４Ａ，２４Ｂは、前記基面２１の商品と対向する側縁から上向きに屈曲して延びるもので、その境界部分には前記と同様の折曲線２５が設けられている。具体的には、これら区画面２４Ａ，２４Ｂは、各配置部２１ａ，２１ｂの側縁からＬ字形状をなすように連設され、各区画面２４Ａ，２４Ｂの境界部分には、基面２１の各配置部２１ａ，２１ｂが交差する隅部にかけて延びる切断線２６が設けられている。前記横配置部２１ａに連設した区画面２４Ａ，２４Ａは、外箱１０のそれぞれ対応する側壁１１Ａ，１１Ｃにかけて延びる寸法で形成され、該外箱１０への装着状態で前記把持孔１４に対応する位置には切欠部２７が設けられている。また、前記縦配置部２１ｂに連設した区画面２４Ｂ，２４Ｂは、外箱１０のそれぞれ対応する側壁１１Ｂ，１１Ｄにかけて延びる寸法で形成され、前記傾斜面２２との境界部分には切断線２８が設けられている。
【００２０】
なお、前記傾斜面２２および区画面２４Ａ，２４Ｂの突出寸法は、基面２１がボトル１において球状に外径が収縮した首部に当接した状態で、外箱１０の上端開口、即ち、閉塞した内フラップである上フラップ１２Ａ，１２Ｃに当接する寸法に設定されている。また、前記区画面２４Ａに形成した切欠部２７は、装着状態での上端縁が前記把持孔１４の上端縁と略一致し、把持孔１４内への指の挿入の妨げにならないように構成している。
【００２１】
このように構成した仕切材２０では、商品であるボトル１の外周を囲繞するのではなく、ボトル１間に位置するように基面２１を形成しているため、材料の使用面積を削減し、コストダウンを図ることができる。
【００２２】
次に、前記構成の仕切材２０を用いた包装箱の使用方法の一例について説明する。
【００２３】
図３に示すように、下フラップ１３Ａ〜１３Ｄにより底を閉塞した外箱１０の内部に、各首部に景品２を取り付けた４本のボトル１を収容させる。
【００２４】
その後、折曲線２３，２５に沿って折り曲げることなく、フラットなブランク状態の仕切材２０を外箱１０の上部に配置し、基面２１を下向きに押圧するようにして外箱１０内に押し込む。これにより、各傾斜面２２は、外箱１０の上端開口の縁に当接することにより、基面２１に対して折曲線２３に沿って上向きに屈曲される。また、各区画面２４Ａ，２４Ｂは、外箱１０内の各ボトル１に当接することにより、基面２１に対して折曲線２５に沿って上向きに屈曲される。なお、この仕切材２０の押し込みは、基面２１の両側縁がボトル１の首部に当接した状態で完了する。
【００２５】
なお、前記仕切材２０は、図５に示すように、基面２１に対して傾斜面２２および区画面２４Ａ，２４Ｂを折り曲げた状態で装着してもよい。また、景品２は、外箱１０にボトル１を収容させた後に取り付けてもよく、仕切材２０を装着した後に取り付けてもよい。
【００２６】
このように、本発明の仕切材２０は、一体形成した１枚のブランクからなり、押し込むだけのワンアクションで組立および装着が完了すると、その作業性の向上を図ることができる。また、本実施形態のように、収容する商品であるボトル１がキャンペーン商品であり、上方の首部に景品２を掛けた状態で収容させる場合、前記区画面２４Ａ，２４Ｂにより掛けた景品２同士が干渉して破損するなどの問題が生じることを防止できる。また、ボトル１の首部が位置し、広い空間が形成される外箱１０の上部の剛性を高めることができる。
【００２７】
なお、本発明の仕切材２０は、前記実施形態の構成に限定されるものではなく、種々の変更が可能である。
【００２８】
例えば、前記実施形態では、商品であるボトル１の上部を位置決めおよび仕切るために傾斜面２２および区画面２４Ａ，２４Ｂを上向きに屈曲させたが、図６に示すように、これらを下向きに屈曲して外箱１０に装着することにより、箱体１’などの商品を仕切る仕切材２０として使用することもできる。即ち、基面２１の幅を外箱１０および商品に応じて変更することにより、種々の商品間を仕切る仕切材２０として使用することができる。
【００２９】
また、前記実施形態では。２行２列の配置で４個の商品を仕切ったが、図７に示すように、対称な形状をなす中間用の区画面２４Ｃを設けることにより２行３列に配置した商品を区画することも可能であり、その区画数は希望に応じて変更が可能である。
【図面の簡単な説明】
【００３０】
【図１】本発明の実施形態に係る仕切材を適用した包装箱の斜視図である。
【図２】仕切材を装着した包装箱の断面図である。
【図３】仕切材を装着する前の状態を示す斜視図である。
【図４】仕切材のブランクを示す平面図である。
【図５】仕切材の他の装着方法を示す斜視図である。
【図６】仕切材の変形例および他の装着方法を示す斜視図である。
【図７】仕切材の変形例のブランクを示す平面図である。
【符号の説明】
【００３１】
１…ボトル（商品）
２…景品
１０…外箱
１１Ａ〜１１Ｄ…側壁
２０…仕切材
２１…基面
２２…傾斜面
２４Ａ，２４Ｂ…区画面
【図１】
2006082846.tif 000003
【図２】
2006082846.tif 000004
【図３】
2006082846.tif 000005
【図４】
2006082846.tif 000006
【図５】
2006082846.tif 000007
【図６】
2006082846.tif 000008
【図７】
2006082846.tif 000009